(57)【要約】【課題】光触媒による浄化効果が効率的かつ確実に得られる空調システムを実現する。【解決手段】空調機５により処理した空気を給気ＳＡとして室内に供給し、室内の空気を還気ＲＡとして吸込口１０から吸い込んで空調機に戻して循環させるとともに、その循環経路の途中で光触媒により循環空気を清浄化する構成の空調システムであって、空調機内に光触媒による浄化モジュール２１と、その浄化モジュールに光を照射する光源２２とを設け、天井面２に設けた照明器具９に吸込口１０を組み込み、その照明器具の表面に光触媒を担持させる。窓ガラス４に面してブラインド１５を設けて、窓ガラスとブラインドの少なくともいずれかの表面に光触媒を担持させる。通気性を有する床材３２を採用してその床材自体を通過させることで床面から給気ＳＡを供給し、その床材に光触媒を担持させる。【選択図】      図２
2005024183.tif 000002
【特許請求の範囲】
【請求項１】
空調機により処理した空気を給気として室内に供給し、室内の空気を還気として吸込口から吸い込んで空調機に戻して循環させるとともに、その循環経路の途中で光触媒により循環空気を清浄化する構成の空調システムであって、空調機内に光触媒による浄化モジュールと、その浄化モジュールに光を照射する光源とを設け、天井面に設けた照明器具に吸込口を組み込み、その照明器具の表面に光触媒を担持させたことを特徴とする空調システム。
【請求項２】
窓ガラスに面してブラインドを設け、窓ガラスとブラインドの少なくともいずれかの表面に光触媒を担持させたことを特徴とする請求項１記載の空調システム。
【請求項３】
通気性を有する床材を採用してその床材自体を通過させて床面から給気を供給し、その床材に光触媒を担持させたことを特徴とする請求項１または２記載の空調システム。
【発明の詳細な説明】
【０００１】
【発明の属する技術分野】
本発明は建物における空調システム、特に光触媒により空気を清浄化しつつ循環させる構成の空調システムに関する。
【０００２】
【従来の技術】
従来の空調システムは室内温湿度の調整と浮遊粉塵の低減が主目的であったが、最近においてはそれに加えて臭気やＶＯＣ（揮発性有機化合物）、細菌等を除去し得るより高度の空気清浄化機能が要求され、そのため光触媒による酸化分解作用を利用して循環空気を清浄化することも行われている。
【０００３】
たとえば特許文献１には、床から空調エアを吹き出すとともに、吸込スリットを有する照明器具を天井に配設した床吹き出し空調システムにおいて、照明器具のカサ部の表面や、蛍光灯の外面、天井ボードの表面に光触媒を担持させ、循環空気を光触媒に接触させることで汚染物質を除去するものが提案されている。
【０００４】
【特許文献１】
特開２０００−６５３９６号公報
【０００５】
【発明が解決しようとする課題】
しかし、上記従来の空調システムでは循環空気が光触媒に対して効率的に接触するとはいえないので、必ずしも充分な浄化効果を期待できるものではなく、そのため、より効率的かつ確実に浄化効果が得られる空調システムの開発が望まれていた。
【０００６】
【課題を解決するための手段】
上記事情に鑑み、請求項１の発明は、空調機により処理した空気を給気として室内に供給し、室内の空気を還気として吸込口から吸い込んで空調機に戻して循環させるとともに、その循環経路の途中で光触媒により循環空気を清浄化する構成の空調システムであって、空調機内に光触媒による浄化モジュールと、その浄化モジュールに光を照射する光源とを設け、天井面に設けた照明器具に吸込口を組み込み、その照明器具の表面に光触媒を担持させたことを特徴とする。
【０００７】
請求項２の発明は、請求項１の発明の空調システムにおいて、窓ガラスに面してブラインドを設け、窓ガラスとブラインドの少なくともいずれかの表面に光触媒を担持させたことを特徴とする。
【０００８】
請求項３の発明は、請求項１または２の発明の空調システムにおいて、通気性を有する床材を採用してその床材自体を通過させて床面から給気を供給し、その床材に光触媒を担持させたことを特徴とする。
【０００９】
【発明の実施の形態】
本発明の一実施形態を図１を参照して説明する。図中符号１は空調対象室、２はその天井面、３は還気チャンバーとしての天井チャンバー、４は窓ガラスであり、５は空調機である。
【００１０】
空調機５は、内蔵している冷却器、加熱器、加湿器、フィルタ（いずれも図示略）により温湿度調整と粉塵除去を行い、送風機６により給気ダクト７、吹出口８を通して室内に給気ＳＡを供給し、天井面２に設けた照明器具９に組み込んでいる吸込口１０から還気ＲＡを天井チャンバー３に吸い込み、主還気口１１から還気ダクト１２を通して空調機５に戻して循環させるようになっている。なお、還気ＲＡの一部は排気ＥＡとして排気ダクト１３により外部に排気し、それに見合う量の外気ＯＡを外気ダクト１４から取り入れるようになっている。
【００１１】
また、窓ガラス４の前面にはブラインド１５が設けられていて、それら窓ガラス４とブラインド１５との間は日射ＳＳにより周囲よりも温度が上昇することからここでは自ずと上昇気流が生じるようになっており、そこを上昇した還気ＲＡは天井面２に設けたスリット１６から天井チャンバー３に吸い込まれるようになっている。
【００１２】
本実施形態の空調システムは、上記のようにして循環する循環空気（すなわち給気ＳＡおよび還気ＲＡ）の循環経路の途中において、光触媒による酸化分解作用によって循環空気を効率的に清浄化し得るものとなっている。
【００１３】
すなわち、上記の空調機５には、光触媒による浄化モジュール２１と、その浄化モジュール２１に光を照射する光源２２が内蔵されており、この空調機５では温湿度調整および粉塵除去に加えて浄化モジュール２１による清浄化処理がなされ、還気ＲＡや外気ＯＡに含まれる臭気やＶＯＣ、細菌等の汚染物質が浄化モジュール２１によって効率的に分解除去され、給気ＳＡの全量が充分に清浄化されたうえで室内に給気されるようになっている。浄化モジュール２１における光触媒としてはアナターゼ型二酸化チタン等の紫外光反応型光触媒が好適に採用可能であり、その光源２２としてはブラックライト（紫外光源）を採用すれば良い。
【００１４】
それに加え、本実施形態の空調システムでは、吸込口１０を組み込んでいる照明器具９の表面に光触媒を担持させており、室内からの還気ＲＡが吸込口１０に吸い込まれる際には自ずと照明器具９の表面に接触してそこで浄化がなされるようになっている。照明器具９は常時点灯されていることが通常であるし、仮に消灯されていても室内には窓ガラス４からの適度の日射があるので光触媒反応は支障なく生じるが、ここでの光触媒としては窒素等をドーピングしたアナターゼ型二酸化チタン等の可視光反応型の光触媒を採用することが好ましい。
【００１５】
さらに、本実施形態の空調システムでは、窓ガラス４およびブラインド１５の表面にも光触媒を担持させており、それらの間を上昇する還気ＲＡは自ずと窓ガラス４の内面およびブラインド１５に接してそこで浄化がなされるようになっている。窓ガラス４には充分な日射が期待できるので少なくとも昼間においては充分な光触媒効果が期待でき、ここでの光触媒は可視光反応型のもの採用すれば良い。なお、窓ガラス４の外表面にも光触媒を担持させれば防汚効果や水滴付着防止効果が得られる。
【００１６】
以上のように、本実施形態の空調システムにあっては、空調機５の内部に光触媒による浄化モジュール２１とその光源２２を設けるとともに、吸込口１０を組み込んだ照明器具９の表面と、窓ガラス４とブラインド１５の表面に光触媒を担持させ、それにより循環空気がそれらの光触媒に確実に接触し、したがって循環空気中の汚染物質を光触媒により効率的に浄化することができ、室内で汚染物質が発生したり、あるいは室外から汚染物質が入り込んだとしても、室内を常に清浄で健康的かつ快適な空間として維持することができる。
【００１７】
図２は他の実施形態を示す。これは、給気チャンバーとしての床チャンバー３１を設けるとともに、床材３２として通気性を有する素材を採用し、その床材３２自体を通過させて床全面から給気ＳＡを室内に上向きに吹き出すようにしたこと以外は、上記実施形態と同様に構成されているものである。そして、本実施形態では床材３２に光触媒を担持させており、室内空気がその床材３２に直接的に接触することによる浄化効果を期待でき、かつ、空調機５からの給気ＳＡ中に汚染物質が僅かに含まれている場合にも床材３２を通過する際に確実に浄化することができるので、上記実施形態の場合よりも優れた浄化効果が得られる。
【００１８】
以上で本発明の実施形態を説明したが、本発明は上記実施形態に限定されることなく、少なくとも空調機５と照明器具９に光触媒による浄化機能を備える限りにおいては適宜の設計的変更が可能である。たとえば、上記実施形態では空調機５内に浄化モジュール２１とその光源２２を設けるとともに、吸込口１０を組み込んだ照明器具９の表面と、窓ガラス４とブラインド１５の双方の表面、さらに床面吹き出し方式の場合には床材３２に対して光触媒を担持させるようにしたが、必ずしもその全てを具備することはなく、建物の用途や規模、要求される清浄化性能等の条件に応じてそれらの一部を適宜選択して採用することでも良い。あるいは、上記に加えてさらに他の建材や器具にも光触媒による浄化機能を持たせることが考えられ、たとえば室内壁面全体や天井面全体にも光触媒を担持させることも考えられる。勿論、ブラインド１５としては図示例のようなベネシャンブラインドのみならず、適宜の形式のブラインドが採用可能である。
【００１９】
また、空調システムとしての基本的な構成も適宜の変更が可能であり、たとえば、空調機５としてはエアハンドリングユニット、ファンコイルユニット、パッケージエアコン等、適宜の形式のものが採用可能であるし、その設置の形態も床置型や天井埋込型、壁掛型等の如何を問わない。勿論、上記実施形態のように天井チャンバー３を還気チャンバーとして設けることに代えて、天井内に還気ダクトを設けて吸込口１０に直接的に接続する構成としたり、その場合には天井チャンバー３を給気チャンバーとして給気ダクトを省略することも考えられる。
【００２０】
【発明の効果】
請求項１の発明によれば、空調機内に光触媒による浄化モジュールと、その浄化モジュールに光を照射する光源とを設けたので、還気や外気に含まれる臭気やＶＯＣ、細菌等の汚染物質が空調機内において浄化モジュールによって効率的に分解除去でき、また、天井面に設けた照明器具に吸込口を組み込んでその照明器具の表面に光触媒を担持させたので、室内からの還気が吸込口に吸い込まれる際に自ずと照明器具の表面に接触してそこで浄化がなされ、以上により室内を常に清浄で健康的かつ快適な空間として維持することができる。
【００２１】
請求項２の発明は、上記に加え、窓ガラスとブラインドの少なくともいずれかの表面に光触媒を担持させたので、それらの間を還気が上昇する際に光触媒に接触することで自ずと浄化され、より効果的である。
【００２２】
請求項３の発明は、上記に加え、通気性を有する床材自体を通過させて床面から給気を吹き出し、その床材に光触媒を担持させたので、室内空気が床材に直接接触することで浄化効果が期待でき、かつ、空調機からの給気中に汚染物質が僅かに含まれていたとしても給気が床材を通過する際に確実に浄化することができる。
【図面の簡単な説明】
【図１】本発明の空調システムの一実施形態を示す図である。
【図２】同、他の実施形態を示す図である。
【符号の説明】
１  空調対象室
２  天井面
３  天井チャンバー
４  窓ガラス
５  空調機
８  吹出口
９  照明器具
１０  吸込口
１５  ブラインド
２１  浄化モジュール
２２  光源
３１  床チャンバー
３２  床材
ＳＡ  給気
ＲＡ  還気
【図１】
2005024183.tif 000003
【図２】
2005024183.tif 000004